(57)【要約】【課題】釣糸の所要部位をスプールに簡単かつ容易に係止することができると共に、釣糸に対する傷や糸癖の発生を抑制することのできる魚釣用リールを提供すること【解決手段】リール本体１２に回転自在に支持されて巻取り駆動されるスプール１６に釣糸を巻回する魚釣用リール１０において、スプール１６の釣糸巻回部３６と側部端部との間に、円筒状部３８ａ，３８ｂを形成し、一方の円筒状部３８ａの外周部に、釣糸係止部材４２を設けた魚釣用リール。【選択図】  図３
2006034195.tif 000002
【特許請求の範囲】
【請求項１】
リール本体に回転自在に支持されて巻取り駆動されるスプールに釣糸を巻回する魚釣用リールにおいて、前記スプールの釣糸巻回部と側部端部との間に、円筒状部を形成し、この円筒状部の外周部に、釣糸係止部材を設けたことを特徴とする魚釣用リール。
【請求項２】
前記釣糸係止部材は、前記円筒状部の内側に設けた付勢手段により、スプールの径方向内方に付勢される請求項１に記載の魚釣用リール。
【請求項３】
前記釣糸係止部材は、前記円筒状部の周方向に沿って均等に配置された複数の位置に設けられる請求項１又は２に記載の魚釣用リール。
【請求項４】
リール本体に回転自在に支持されて巻取り駆動されるスプールに釣糸を巻回する魚釣用リールにおいて、前記スプールの中央部に形成された釣糸巻回部の両側に円筒状部を形成し、該円筒状部の一側の外周部に釣糸係止部材を設け、他側の外周部を指でサミング可能な制動面としたことを特徴とする魚釣用リール。
【発明の詳細な説明】
【技術分野】
【０００１】
本発明は、リール本体に回転自在に支持されて巻取り駆動されるスプールに釣糸を巻回する魚釣用リールに関する。
【背景技術】
【０００２】
一般に、リール本体に回転自在に支持されたスプールから繰り出される釣糸が所定の長さに達したときに、釣糸繰り出し方向へのスプールの回転を停止させ、いわゆる棚取りを行う糸止め装置を備えた魚釣用リールが知られている。  
このような糸止め装置を備えた魚釣用リールには、スプールの一側周縁部に径方向に移動可能に設けた摺動杆の上部に糸掛切欠を形成し、この糸掛切欠に釣糸を係止した摺動杆を、発条の付勢力に抗して半径方向内方に移動し、スプール周縁部内に没入させた糸掛切欠部で釣糸をスプールに係止固定した状態で、摺動杆の下部に形成した係合細径部を係止するものがある（例えば特許文献１参照）。この摺動杆をスプール周縁部内に没入させた状態で係合細径部を係止する係合孔を設けた押釦が、この係止孔を摺動杆と僅かに齟齬するように発条で付勢されている。そして、摺動杆の糸掛切欠を突出させる場合は、外部からの操作で押釦を押圧し、この押釦と係合細径部との係合を解除する。押釦との係合を解除された摺動杆は、発条の付勢力により、上部の糸掛切欠をスプール周縁部から突出させる。
【０００３】
また、スプールの胴部から鍔部に向けて金属帯板製の糸掛け片をネジで固着し、この糸掛け片の厚さと微小間隙分に相当する深さに形成した鍔部の弧状の切欠部に、糸掛け片の先端を位置させ、この糸掛け片の解放端と対向する側板の外周縁部に、鍔部の弧状の切欠部の底面と略面一の円弧状切欠部形成し、この側板の切欠部から釣糸を糸掛け片の方向に案内するものがある（例えば特許文献２参照）。
【特許文献１】実公昭５５−１１８３号公報
【特許文献２】実公平３−２７４２１号公報
【発明の開示】
【発明が解決しようとする課題】
【０００４】
しかし、スプールの周縁部から突出した摺動杆の糸掛切欠に釣糸を係止し、この後に糸掛切欠部をスプール周縁部内に没入させることで釣糸をスプールに係止固定するものは、釣糸の係止面積すなわち釣糸が糸掛切欠と接触する面積が少ない。このため、釣糸を係止する際に、釣糸に傷や糸癖が付き易く、釣糸の繰り出し操作や棚取りの操作をスムースに行えない。また、釣糸を係止する際は、外部から押釦を押圧して糸掛切欠を突出させ、これに釣糸を係止させた後、摺動杆を内方に押込む操作をしなければならず、釣糸を係止する際の作業性が悪い。更に、スプールフランジの外周から摺動杆の糸掛切欠を突出させるため、スプールフランジの外周に微小間隙を設けてリール本体のカバーで覆う両軸タイプのリールへの適用が難しく、汎用性の面から改善の余地がある。
【０００５】
また、スプールの胴部から鍔部に向けて金属帯板製の糸掛け片をネジで固着したものは、側板の切欠部に鍔部の切欠部を整合させ、これらの切欠部を介して釣糸を糸掛け片に係止させるため、リール本体を保持した状態での操作ができず、しかも、釣糸を切欠部の表面に沿って移動させるために、釣糸係止の作業性が悪い。また、側板および鍔部のそれぞれの外周部に切欠を形成するため、これらの切欠部に釣糸が絡み易く、釣糸の繰り出しや棚取り操作をスムースに行うことができない。更に、側板の外周部に切欠部が形成されていることにより、握持操作性が悪いことに加え、誤ってスプールフランジの外周に指が接触する可能性があり、支障のない釣糸の巻き取り、繰り出し操作を行うことができない。
【０００６】
本発明は、このような事情に基づいて成されたもので、釣糸の所要部位をスプールに簡単かつ容易に係止することができると共に、釣糸に対する傷や糸癖の発生を抑制することのできる魚釣用リールを提供することを目的とする。
【課題を解決するための手段】
【０００７】
上記目的を達成するため、本発明によると、リール本体に回転自在に支持されて巻取り駆動されるスプールに釣糸を巻回する魚釣用リールにおいて、前記スプールの釣糸巻回部と側部端部との間に、円筒状部を形成し、この円筒状部の外周部に、釣糸係止部材を設けた魚釣用リールが提供される。
【０００８】
また、リール本体に回転自在に支持されて巻取り駆動されるスプールに釣糸を巻回する魚釣用リールにおいて、前記スプールの中央部に形成された釣糸巻回部の両側に円筒状部を形成し、該円筒状部の一側の外周部に釣糸係止部材を設け、他側の外周部を指でサミング可能な制動面とした魚釣用リールが提供される。
【発明の効果】
【０００９】
本発明の魚釣用リールによると、釣糸を係止する釣糸係止部材が、スプールの釣糸巻回部と側部端部との間に形成した円筒状部の外周部に設けられることにより、釣糸巻回部に巻回されている釣糸を、任意位置で簡単かつ容易に釣糸係止部材で係止させることで、作業性が向上すると共に、釣糸を係止する際の釣糸に対する不要な傷や糸癖の発生を抑えることができ、良好な棚取り、釣糸の繰り出し操作を行うことができる。
【００１０】
また、スプールの中央部に形成された釣糸巻回部の両側に円筒状部を形成し、該円筒状部の一側の外周部に釣糸係止部材を設け、他側の外周部を指でサミング可能な制動面とした場合には、スプールの釣糸巻回部の両側に釣糸係止とサミング操作との両機能を備えることができ、釣糸係止操作に加えて、スプール回転の制動を容易に行える。
【発明を実施するための最良の形態】
【００１１】
図１から図３は、本発明の好ましい実施形態による魚釣用リール１０を示す。  
本実施形態の魚釣用リール１０は、両軸受け型手巻きリールとして形成してあり、このリール本体１２の一対の外側板１４ａ，１４ｂに、スプール１６を装着してこのスプール１６と共に回転するスプール軸１１８の両端部が例えば図示のようなボール軸受２０ａ，２０ｂを介して回転自在に支持されている。このスプール軸１８の一端側にはハンドル２２で回転駆動されるピニオン２４がこのスプール軸１８と同軸状に配置されている。
【００１２】
このピニオン２２は、その略中央部に形成した周方向溝２１を介して、その一部を概略的に示すクラッチ板２６と噛合っている。本実施形態のクラッチ板２６は、図示しない伝達機構を介して、外側板１４ａ，１４ｂ間に配置したクラッチレバー２８と連動し、このクラッチレバー２８を作動することにより、軸方向に沿って移動することができる。例えば、図１に示すスプール軸１８の嵌合部１７と嵌合した位置から、クラッチレバー２８を押し下げると、クラッチ板２６が図１の右方に移動し、ピニオン２４をスプール軸１８の嵌合部１７から分離することができる。又、分離状態より、ハンドル２２を回転させると、図示しない公知の復帰機構を介して、ピニオン２４が嵌合部１７に嵌合して元の状態（巻取状態）に復帰し、スプール軸１８と一体化されているスプール１６と、ピニオン２４とが一体的に回転する。
【００１３】
このピニオン２４を回転駆動するハンドル２２は、リール本体１２の右外側板１４ｂに回転自在に支えられたハンドル軸３０の一端に固定され、このハンドル軸３０の内側端部に装着された大径の駆動歯車３２がピニオン２４と常時噛合っている。これにより、ハンドル２２を介してハンドル軸３０を回転すると、駆動歯車３２を介してピニオン２４が回転駆動される。符号３４は、スプール１６の後述する釣糸巻回部上に釣糸８を均等に巻回するため、ハンドル２２の回転に連動して、一対の外側板１４ａ，１４ｂ間を往復動する通常の釣糸案内装置を示す。
【００１４】
本実施形態の魚釣用リール１０では、例えばわかさぎ釣り等に適した細径の釣糸巻回用のスプール１６を取付けてある。このスプール１６は、スプール軸１８に回り止め嵌合されるハブ部１６ａと、この外周部から突出するディスク状部１６ｂで内周側を支えられるリム部１６ｃとを有し、このリム部１６ｃの軸方向のほぼ中央部すなわちディスク状部１６ｂに対応した部位の外周部の全周にわたって、比較的浅くかつ幅狭形状に凹設した釣糸巻回部３６を形成してある。また、この釣糸巻回部３６と、リム部１６ｃの軸方向両側の側部端部との間には、釣糸巻回部３６の外周縁部から連続して延びる円筒状部３８ａ，３８ｂを形成してある。更に、各円筒状部３８ａ，３８ｂの釣糸巻回部３６から離隔した側から、フランジ部４０が径方向外方に立上がり、形成されている。
【００１５】
本実施形態では、各円筒状部３８ａ，３８ｂは、釣糸巻回部３６およびフランジ部４０との間に湾曲面を形成し、釣糸８に傷が付くのを防止する構造に形成してある。
【００１６】
図２および図３に明瞭に示すように、本実施形態では、スプール１６の軸方向の中央部に形成した釣糸巻回部３６の一側のハンドル２２と反対側の円筒状部３８ａに、釣糸係止部材４２を配置してある。この釣糸係止部材４２は、円筒状部３８ａをスプール１６の径方向に貫通して形成した非円形の装着孔３９に、回り止めされて装着される軸部４２ａと、この軸部４２ａを基端側から延出した係止片部４２ｂとを有し、この係止片部４２ｂが円筒状部３８ａの外周面上に配置され、隣接するフランジ部４０との間に釣糸８を自由に挿通可能な間隙４５を形成する。また、装着孔３９に回り止めされた軸部４２ａは、装着孔３９の非円形形状に対応した非円形の断面形状を有し、付勢手段として一端をスプール軸１８に係止した引張りコイルばね４４により、スプール軸１８の方向（径方向外方）に付勢され、スプール１６側に位置する係止片部４２ｂの裏面が円筒状部３８の外面に圧接される。ばね４４は、スプール１６の円筒状部３８の内側に配置することで、このスプール１６の内部空間の有効活用を図る。特別な支持部材を必要としない。
【００１７】
本実施形態の係止片部４２ｂは、スプール１６の軸方向に沿って長く、軸部４２ａが延出する基端側から先端側に向けて先細状でかつ先端を丸められた状態で、円筒状部３８ａの表面に沿う板状の構造に形成してある。特に、スプール１６の燐設する側部端部のフランジ部４０に近接する先端側は、その厚さ方向すなわちスプール１６の中心軸を通る縦方向断面においても、丸められており、この係止片部４２ｂの先端部と円筒状部３８ａの表面との間に僅かな間隙４５（図２参照）を形成した開口端として形成されている。なお、この係止片部４２ｂは、先端部だけでなく、その全周にわたって縁部を丸め、釣糸８に傷が付くのを防止する構造に形成するのが好ましい。同様に、軸部４２ａの周部および軸部４２ａと係止片部４２ｂとの間の遷移部も、特に、釣糸８が接触する可能性のある部位についても、滑らかな湾曲面に形成し、釣糸８に傷がつかないようにするのが好ましい。
【００１８】
棚取りをする場合は、魚釣用リール１０から釣糸８を所定量繰出した後、スプール１６の回転を阻止しつつ、スプール１６の近部で釣糸８をつまみ、図３に示すように、フランジ部４０と係止片部４２ｂの先端部との間に形成した間隙４３を通して、円筒状部３８ａに配置した釣糸係止部材４２にこの釣糸８を引っ掛ける。図２に示すように、係止片部４２ｂの先端側が、円筒状部３８ａの表面との間に間隙４５を設けた開口端として形成されているため、釣糸８を釣糸繰出し方向Ａ（図３参照）に引張ると、釣糸８は、フランジ部４０との間の間隙４３から円筒状部３８ａとの間の間隙４５を通って、係止片部４２ｂの裏面側に滑り込む。釣糸８は、軸部４２ａにより、釣糸巻回部３６側への移動を阻止され、ばね４４の付勢力により、係止片部４２ｂと円筒状部３８ａとの間の広い対向面間で圧接されて保持される。釣糸８に、局部的に大きな力が作用することがなく、釣糸８に傷をつけ、あるいは糸癖を与えることもない。
【００１９】
このように、所要位置を釣糸係止部材４２に係止させた釣糸８をスプール１６の釣糸巻回部３６に巻取った後、再度、繰出すと、釣糸８が釣糸係止部材４２で係止された位置で停止する。それ以上、釣糸８がスプール１６から繰出されることがない。釣糸８がこの釣糸係止部材４２で係止された状態で、この釣糸８が釣糸繰出し方向Ａに引張られても、係止片部４２ｂの周縁部が丸められているため、釣糸８に傷がつくのが防止される。釣糸８の繰出し量を変更する場合、あるいは棚取りを中止する場合は、釣糸８を釣糸係止部材４２の近部でつまみ、係止片部４２ｂの開口端側から外す。
【００２０】
したがって、本実施形態の魚釣用リール１０によると、釣糸８が任意位置で簡単かつ容易に釣糸係止部材４２で係止されるため、作業性が極めて向上すると共に、釣糸８を係止する際の釣糸８に対する不要な傷や糸癖の発生を抑えることができ、良好な棚取り、釣糸８の繰り出し操作を行うことができる。
【００２１】
釣糸巻回部３６に対し、ハンドル２２側に位置する他側の円筒状部３８ｂは、図３に示すように、外周面を指でサミング操作できるような制動面に形成されているので、スプール１６の釣糸巻回部３６の両側に釣糸係止とサミング操作との両機能を備えることができ、釣糸係止操作に加えて、スプール回転の制動を容易に行える。
【００２２】
図４および図５は、それぞれ上述の実施形態の変形例を示す。基本的には、上述の実施形態と同様であるため、同様な部位には同様な符号を付し、その詳細な説明を省略する。  
図４は、付勢手段としてのばね４４Ａが圧縮コイルばねで形成してある。このばね４４Ａは、軸部４２ａの周部に装着され、一端が軸部の端部に設けた保持リング４５で支えられ、他端が円筒状部３８ａの内周面で支えられ、係止片部４４ｂを円筒状部３８ａの外周面上に付勢する。上述の実施例における引張りばねで形成したコイルばね４４よりもコンパクトに形成することができる。
【００２３】
図５は、図１と同様であるが、それぞれ付勢手段としてのばね４４を引張りコイルばねで形成し、このばね４４により径方向内方に付勢される釣糸係止部材４２が、円筒状部３８ａの周方向に沿って均等に配置されている。この場合には、実釣時の釣糸８の繰出しや巻取り時等に、高速回転するスプールの回転がバランスされ、円滑な魚釣操作を行うことができる。
【００２４】
なお、上述の実施形態あるいは変形例では、釣糸係止部材４２を、ハンドル２２と反対側の円筒状部３８ａに設けたが、これに限らず、ハンドル２２側の円筒状部３８ｂにも設けてもよい。また、図５に示す付勢手段としてのばね４４を、引張りコイルばねに代えて圧縮コイルばねとすることも可能である。また、釣糸係止部材４２の特に係止片部４２ｂを、樹脂あるいは金属の弾性部材で形成することにより、ばね４４，４４Ａを省略することも可能である。いずれの場合も、釣糸係止部材４２を、一対の側板１４ａ，１４ｂ間の開口部内で、容易に近接可能な円筒状部３８ａ，３８ｂの外周部位に設けることが好ましい。
【図面の簡単な説明】
【００２５】
【図１】本発明の好ましい実施形態による魚釣用リールの一部を欠截した部分断面図。
【図２】図１の魚釣用リールに用いるスプールの縦断面図。
【図３】図２のスプールの平面図。
【図４】変形例によるスプールの図２と同様な断面図。
【図５】更に他の変形例によるスプールの説明図。
【符号の説明】
【００２６】
８…釣糸、１０…魚釣用リール、１２…リール本体、１４ａ，１４ｂ…側板、１６…スプール、１８…スプール軸、３６…釣糸巻回部、３８ａ，３８ｂ…円筒状部、４２…釣糸係止部材。
【図１】
2006034195.tif 000003
【図２】
2006034195.tif 000004
【図３】
2006034195.tif 000005
【図４】
2006034195.tif 000006
【図５】
2006034195.tif 000007